(57)【要約】【課題】極めて安定した防振性能および耐荷重性能を実現することのできる、新しい二重床の支持脚を提供する。【解決手段】脚部（１）とその上に配設された受座部（２）、弾性防振材（３）および床受け材（４）とを備えた二重床の支持脚であって、弾性防振材（３）を少なくとも３つ有し、各弾性防振材（３）は、その下部（３１）が、少なくとも一つの嵌着方向を他のものとは異なる方向にして受座部（２）に複数配設されている下部用鍵孔型嵌着開口（２１）に嵌着され、上部（３２）が、床受け材（４）に複数配設されている上部用嵌着開口（４１）に嵌着されて、取付け固定されている。【選択図】　図１
2004116014.tif 000002
【特許請求の範囲】
【請求項１】
脚部とその上に配設された受座部、弾性防振材および床受け材とを備えた二重床の支持脚であって、弾性防振材を少なくとも３つ有し、各弾性防振材は、その下部が、少なくとも一つの嵌着方向を他のものとは異なる方向にして受座部に複数配設されている下部用鍵孔型嵌着開口に嵌着され、上部が、床受け材に複数配設されている上部用嵌着開口に嵌着されて、取付け固定されていることを特徴とする二重床の支持脚。
【請求項２】
弾性防振材は円柱状であることを特徴とする請求項１記載の二重床の支持脚。
【請求項３】
弾性防振材はその上部に返り辺を有していることを特徴とする請求項１または２記載の二重床の支持脚。
【発明の詳細な説明】
【０００１】
【発明の属する技術分野】
この出願の発明は、二重床の支持脚に関するものである。さらに詳しくは、この出願の発明は、極めて安定した防振性能および耐荷重性能を実現することのできる、新しい二重床の支持脚に関するものである。
【０００２】
【従来の技術】
従来、住宅やオフィス等の床には、床下にて配管や配線を行えるようにした二重床がしばしば採用されており、この二重床については、スラブ上に脚部の安定した立設状態を保持するための台座部を固着し、当該台座部に脚部を立設し、当該脚部上端に弾性防振材の容易且つ確実な支持のための受座部を取り付け、当該受座部上に防振ゴム等の弾性防振材を配設し、そして当該弾性防振材上に床受け材を設け、その上に床材を載置して二重床を構築するようにした支持脚が知られている（特許文献１参照）。これにより、床材とスラブとの間に配管や配線用の床下空間を確保するとともに、防振性能および耐荷重性能の両立を実現することができる。
【０００３】
しかし、この二重床の支持脚にて使用される弾性防振材は受座部上に接着剤によって取付け固定されることが一般的であるため、床受け材に偏荷重が作用した場合には、床受け材（特許文献１には補助プレートと記載）の傾き変位によって、接着剤による取付け固定が外れやすくなり、安定した防振性能および耐荷重性能が得にくくなるという不都合が考えられる。
【０００４】
そこで、弾性防振材を一対のものとし、各々の下部を受座部の対向辺部に嵌合し、各々の上部を床受け材の対向辺部に嵌合して、弾性防振材と受座部および床受け材とを一体化するようにした支持脚が既に提案されている（特許文献２参照）。これにより、床受け材に偏荷重が作用しても、接着剤のみに依拠していた上記特許文献１に記載の支持脚に比べて床受け材の傾き変位を小さく抑え、一体性を失うことなく、防振性能および耐荷重性能をより安定に維持することを可能ならしめている。
【０００５】
【特許文献１】
特開２００１−２０７６２８号公報
【特許文献２】
特願２００２−１５３６０５号
【０００６】
【発明が解決しようとする課題】
しかしながら、このように優れた上記特許文献２に記載の支持脚にあっても、弾性防振材が一対で、受座部および床受け材の対向辺での嵌合装着となっているため、嵌合辺と非嵌合辺の方向で防振性能および耐荷重性能が異なり、更なる性能安定性の向上の余地がある。
【０００７】
この出願の発明は、以上のとおりの事情に鑑みてなされたものであり、さらに一層安定した防振性能および耐荷重性能を実現することのできる、新しい二重床の支持脚を提供することを課題としている。
【０００８】
【課題を解決するための手段】
この出願の発明は、上記の課題を解決するものとして、第１には、脚部とその上に取り付けられる受座部とその上に配設された弾性防振材とさらにその上に設けられる床受け材とを備えた二重床の支持脚であって、弾性防振材を少なくとも３つ有し、各弾性防振材は、その下部が、少なくとも一つの嵌着方向を他のものとは異なる方向にして受座部に複数配設されている下部用鍵孔型嵌着開口に嵌着され、上部が、床受け材に複数配設されている上部用嵌着開口に嵌着されて、取付け固定されていることを特徴とする二重床の支持脚を提供する。
【０００９】
また、この出願の発明は、第２には、前記弾性防振材が円柱状のものであることを特徴とする二重床の支持脚、第３には、前記弾性防振材がその上部に返り辺を有しているものであることを特徴とする二重床の支持脚を提供する。
【００１０】
【発明の実施の形態】
上記のとおりの特徴を有するこの出願の発明によれば、たとえば図１および図２に例示したように、脚部（１）上にて受座部（２）および床受け材（４）との間に配設される防振ゴム等の弾性防振材（３）を少なくとも３つとし、受座部（２）に、それら弾性防振材（３）の下部（３１）が各々独立して嵌着される少なくとも３つの下部用鍵孔型嵌着開口（２１）を、その少なくとも一つの嵌着方向を他のものとは異なる方向にして配設し、且つ床受け材（４）には、受座部（２）の下部用鍵孔型嵌着開口（２１）に嵌着された弾性防振材（３）の上部（３２）が各々独立して嵌着される少なくとも３つの上部用嵌着開口（４１）を配設して、各弾性防振材（３）をその下部（３１）および上部（３２）の下部用鍵孔型嵌着開口（２１）および上部用嵌着開口（４１）への嵌着によって取付け固定することで、それら下部用鍵孔型嵌着開口（２１）および上部用嵌着開口（４１）を介した各弾性防振材（３）と受座部（２）および床受け材（４）との一体構造が構築され、常に安定した防振性能および耐荷重性能を実現できるようになる。
【００１１】
すなわち、上記特許文献２に記載のような一対の弾性防振材の受座部および床受け材の対向辺部にての嵌合装着による一体構造よりも、床受け材（４）上の床材からの振動や荷重等に対しての方向性がなくなって安定性が高くなり、床受け材（４）に対する偏荷重が様々な方向に作用したとしても各弾性防振材（３）の外れは極めて生じ難く、常に格段に安定した防振性能および耐荷重性能を実現することができるのである。
【００１２】
また、弾性防振材（３）は図示したように円柱状のものとすることで、振動、荷重に対する方向性をさらに無くして、より一層高い安定性を得ることができる。
【００１３】
図１および図２の実施形態では、弾性防振材（３）は４つで、それに対応して受座部（２）の下部用鍵孔型嵌着開口（２１）も４つ、床受け材（４）の上部用嵌着開口（４１）も各下部用鍵孔型嵌着開口（２１）の真上に位置して４つ配設されている。
【００１４】
各弾性防振材（３）はその下部（３１）に水平部（３１１）および首部（３１２）を有し、各下部用鍵孔型嵌着開口（２１）は入口部（２１１）および鍵孔部（２１２）を有しており、弾性防振材（３）の水平部（３１１）を下部用鍵孔型嵌着開口（２１）の入口部（２１１）に上方から嵌入させた状態で、首部（３１２）が鍵孔部（２１２）に入り込むように弾性防振材（３）全体をずらすことで、各弾性防振材（３）は下部用鍵孔型嵌着開口（２１）に対して嵌着される。そしてこのとき、４つの下部用鍵孔型嵌着開口（２１）のうちの２つが他の２つとは異なる嵌着方向を向いている、つまり右側の２つの下部用鍵孔型嵌着開口（２１）の鍵孔部（２１２）が右向き、左側の２つの下部用鍵孔型嵌着開口（２１）の鍵孔部（２１２）が左向きとなっているので、弾性防振材（３）の嵌着方向も異なり、上述したように偏荷重時にも外れ難くい安定度の高い一体構造を実現している。
【００１５】
また、各弾性防振材（３）はその円柱状の上部（３２）外周面に返り辺（３２１）を複数段有しており、床受け材（４）の上部用嵌着開口（４１）に嵌入されるとその内壁に返り辺（３２１）が引っ掛かるので、一層外れ難くなっている。
【００１６】
図３はこの出願の発明の別の一実施形態としての受座部を示しており、弾性防振材（３）、受座部（２）の下部用鍵孔型嵌着開口（２１）および床受け材（４）の上部用嵌着開口（４１）はそれぞれ３つ配設されており、下部用鍵孔型嵌着開口（２１）のうちの１つが他の２つとは異なる嵌着方向、つまり１つの鍵孔部（２１２）が他の２つの鍵孔部（２１２）とは真逆の方向を向いている。この場合でも、弾性防振材（３）の取付け固定を確実に維持し、且つ無方向性の防振性能および耐荷重性能を実現することができる。
【００１７】
なお、以上の受座部（２）、弾性防振材（３）、床受け材（４）を備えた脚部（１）は、たとえば、高さ調整可能なものとなっており、またスラブ（図示ナシ）上に固着される台座部（５）を有している。
【００１８】
もちろん、この出願の発明は以上の実施形態に限定されるものではなく、細部については様々な態様が可能である。
【００１９】
【発明の効果】
以上詳しく説明したとおり、この出願の発明によって、極めて安定した防振性能および耐荷重性能を実現することのできる、新しい二重床の支持脚が提供される。
【図面の簡単な説明】
【図１】この出願の発明の一実施形態を例示した分解斜視図である。
【図２】この出願の発明の一実施形態を例示した側面図である。
【図３】この出願の発明の別の一実施形態を例示した受座部の平面図である。
【符号の説明】
１　脚部
２　受座部
２１　下部用鍵孔型嵌着開口
２１１　入口部
２１２　鍵孔部
３　弾性防振材
３１　下部
３１１　水平部
３１２　首部
３２　上部
３２１　返り辺
４　床受け材
４１　上部嵌着開口
５　台座部
【図１】
2004116014.tif 000003
【図２】
2004116014.tif 000004
【図３】
2004116014.tif 000005